(57)【要約】【課題】一方のリモコンに入力された情報を他方のリモコンが文字情報として表示する場合であっても、正しく情報を伝達することができるリモートコントローラシステムを得る。【解決手段】台所用リモコン３と浴室用リモコン４とを備え、台所用リモコン３又は浴室用リモコン４を用いて給湯器５を制御するリモコンシステム１であって、台所用リモコン３は、外部無線通信機器２から文字情報を赤外線通信で受信する赤外線通信部１１と、受信された文字情報をディスプレイ１６に表示させる制御部３０と、受信された文字情報を浴室用リモコン４に送信するシリアル通信部１５とを備え、浴室用リモコン４は、台所用リモコン３から文字情報を受信するシリアル通信部４３と、受信された文字情報をディスプレイ４４に表示させる制御部６０とを備える。【選択図】図１
2010261635.tif 000002
【特許請求の範囲】
【請求項１】
台所用リモートコントローラと浴室用リモートコントローラとを備え、前記台所用リモートコントローラ又は前記浴室用リモートコントローラを用いて給湯器を制御するリモートコントローラシステムであって、
前記台所用リモートコントローラは、
外部無線通信機器から、文字情報を無線通信で受信する無線通信部と、
前記無線通信部により受信された前記文字情報を第１表示部に表示させる第１制御部と、
前記無線通信部により受信された前記文字情報を前記浴室用リモートコントローラに送信する第１通信部と、を備え、
前記浴室用リモートコントローラは、
前記台所用リモートコントローラから、前記文字情報を受信する第２通信部と、
前記第２通信部により受信された前記文字情報を第２表示部に表示させる第２制御部と、を備えることを特徴とするリモートコントローラシステム。
【請求項２】
前記第１制御部は、更に、前記無線通信部により受信された前記文字情報を音声に変換して、第１音声出力部に音声出力させ、
前記第２制御部は、更に、前記第２通信部により受信された前記文字情報を音声に変換して、第２音声出力部に音声出力させることを特徴とする請求項１に記載のリモートコントローラシステム。
【請求項３】
前記台所用リモートコントローラは、
音声を入力する第１音声入力部を、更に備え、
前記第１制御部は、前記第１音声入力部により入力された前記音声を文字情報に変換し、
前記無線通信部は、前記第１制御部により変換された文字情報である変換文字情報を、前記外部無線通信機器に無線通信で送信することを特徴とする請求項１または２に記載のリモートコントローラシステム。
【請求項４】
前記浴室用リモートコントローラは、
音声を入力する第２音声入力部を、更に備え、
前記第２制御部は、前記第２音声入力部により入力された前記音声を文字情報に変換し、
前記第２通信部は、前記第２制御部により変換された文字情報である変換文字情報を、前記台所用リモートコントローラに送信し、
前記第１通信部は、前記浴室用リモートコントローラから、前記変換文字情報を受信し、
前記無線通信部は、前記第１通信部により受信された前記変換文字情報を、前記外部無線通信機器に無線通信で送信することを特徴とする請求項１〜３のいずれか１つに記載のリモートコントローラシステム。
【請求項５】
前記台所用リモートコントローラは、
前記無線通信部により受信された前記文字情報を記憶する文字情報記憶部を更に備え、
前記第１制御部は、前記文字情報記憶部から前記文字情報を読み出し、読み出した前記文字情報を前記第１表示部に出力させる表示出力、及び読み出した前記文字情報を音声に変換して前記第１音声出力部に出力させる音声出力の少なくとも一方を行うことを特徴とする請求項２〜４のいずれか１つに記載のリモートコントローラシステム。
【請求項６】
前記台所用リモートコントローラは、
前記第１制御部により変換された前記変換文字情報、及び前記第１通信部により受信された前記変換文字情報の少なくとも一方を記憶する変換文字情報記憶部を更に備え、
前記第１制御部は、前記変換文字情報記憶部から前記変換文字情報を読み出し、読み出した前記変換文字情報を前記第１表示部に出力させる表示出力、及び読み出した前記変換文字情報を音声に変換して前記第１音声出力部に出力させる音声出力の少なくとも一方を行うことを特徴とする請求項４に記載のリモートコントローラシステム。
【発明の詳細な説明】
【技術分野】
【０００１】
本発明は、リモートコントローラシステムに関する。
【背景技術】
【０００２】
従来から、インターホン機能や音声ガイダンス機能を有する給湯器用のリモートコントローラシステム（以下、「リモコンシステム」と称する）が知られている。このような給湯器用のリモコンシステムには、入力された音声を録音しておき、この録音された音声を再生することで、留守中であった相手に伝言を行う伝言メモ機能を有するものも存在する。
【０００３】
また、インターホン機能として、子機に入力された音声を親機側で文字情報に変換して表示するものも存在する（例えば、特許文献１参照）。これによれば、相手側の音声を目視で確認することができるため、情報の伝達を支援することができる。なお、音声を文字情報に変換して表示する技術としては、入力された音声を表象する可視化情報を表示する音声可視化装置、及びカンファレンスルーム及び手術室間で行われる会話を文字情報に変換して表示する医療支援システムなども知られている（例えば、特許文献２、３参照）。
【先行技術文献】
【特許文献】
【０００４】
【特許文献１】特開２０００−１３４３０１号公報
【特許文献２】特開２００６−３３０６２４号公報
【特許文献３】特開２００６−２１８２２９号公報
【発明の概要】
【発明が解決しようとする課題】
【０００５】
しかしながら、上記のような音声を文字情報に変換する技術では、誤った文字への変換が懸念される。例えば、地方の方言などの変換が困難であることは否めない。このため、この技術を上記のような給湯器用のリモコンシステムに適用したとしても、一方のリモートコントローラ（以下、「リモコン」と称する）に入力された音声が他方のリモコンで正しく表示されず、却って情報の伝達を阻害してしまうおそれがある。
【０００６】
本発明は、上記に鑑みてなされたものであって、一方のリモコンに入力された情報を他方のリモコンが文字情報として表示する場合であっても、正しく情報を伝達することができるリモートコントローラシステムを得ることを目的とする。
【課題を解決するための手段】
【０００７】
上述した課題を解決し、目的を達成するために、本発明の一態様にかかるリモートコントローラシステムは、台所用リモートコントローラと浴室用リモートコントローラとを備え、前記台所用リモートコントローラ又は前記浴室用リモートコントローラを用いて給湯器を制御するリモートコントローラシステムであって、前記台所用リモートコントローラは、外部無線通信機器から、文字情報を無線通信で受信する無線通信部と、前記無線通信部により受信された前記文字情報を第１表示部に表示させる第１制御部と、前記無線通信部により受信された前記文字情報を前記浴室用リモートコントローラに送信する第１通信部と、を備え、前記浴室用リモートコントローラは、前記台所用リモートコントローラから、前記文字情報を受信する第２通信部と、前記第２通信部により受信された前記文字情報を第２表示部に表示させる第２制御部と、を備えることを特徴とする。
【発明の効果】
【０００８】
本発明によれば、一方のリモコンに入力された情報を他方のリモコンが文字情報として表示する場合であっても、正しく情報を伝達することができるという効果を奏する。
【図面の簡単な説明】
【０００９】
【図１】図１は、本実施の形態のリモコンシステムの構成例を示すブロック図である。
【図２】図２は、本実施の形態のリモコンシステムで実行される文字情報の送受信例を示すフローチャート図である。
【図３】図３は、本実施の形態の台所用リモコン及び浴室用リモコンで実行される文字情報出力例を示すフローチャート図である。
【図４】図４は、本実施の形態の台所用リモコンから入力される伝言の記録手順例を示すフローチャート図である。
【図５】図５は、本実施の形態の浴室用リモコンから入力される伝言の記録手順例を示すフローチャート図である。
【図６】図６は、本実施の形態の台所用リモコン及び浴室用リモコンで実行される変換文字情報出力例を示すフローチャート図である。
【図７】図７は、本実施の形態の台所用リモコンから外部無線通信機器への変換文字情報の送信例を示すフローチャート図である。
【発明を実施するための形態】
【００１０】
以下、添付図面を参照しながら、本発明にかかるリモートコントローラシステムの実施の形態について説明する。なお、本発明は、下記の実施の形態に限定されるものではない。
【００１１】
まず、本実施の形態のリモートコントローラシステムの構成について説明する。
【００１２】
図１は、本実施の形態にかかるリモートコントローラシステム（以下、「リモコンシステム」と称する）１の構成の一例を示すブロック図である。図１に示すように、リモコンシステム１は、外部無線通信機器２と、台所用リモートコントローラ（以下、「台所用リモコン」と称する）３と、浴室用リモートコントローラ（以下、「浴室用リモコン」と称する）４と、給湯器５とを備える。
【００１３】
外部無線通信機器２は、台所用リモコン３との間で赤外線通信によりデータを送受信する無線通信機器である。具体的には、外部無線通信機器２は、ユーザから文字情報の入力を受け付け、受け付けた文字情報を赤外線通信で台所用リモコン３に送信したり、台所用リモコン３から、音声を文字情報に変換した変換文字情報を赤外線通信で受信し、受信した変換文字情報を図示せぬディスプレイに表示したりする。
【００１４】
台所用リモコン３は、台所に設置されたリモコンであり、屋外などに設置された給湯器５の給湯機能を遠隔で制御するとともに、浴室内に設置された浴室用リモコン４との間でデータを送受信する。そして、台所用リモコン３は、赤外線通信部１１と、通信スイッチ１２と、マイク１３と、録音スイッチ１４と、シリアル通信部１５と、ディスプレイ１６と、スピーカ１７と、伝言スイッチ１８と、記憶部２０と、制御部３０とを備える。
【００１５】
赤外線通信部１１（無線通信部の一例）は、外部無線通信機器２との間で赤外線通信（無線通信の一例）によりデータを送受信する。具体的には、赤外線通信部１１は、外部無線通信機器２から文字情報を赤外線通信で受信したり、変換文字情報を赤外線通信で外部無線通信機器２に送信したりする。なお、外部無線通信機器２との間の通信方式は、赤外線通信以外にも、既存の無線通信方式を採用できる。
【００１６】
通信スイッチ１２は、赤外線通信部１１から外部無線通信機器２に変換文字情報を送信する際に用いられるスイッチであり、ユーザにより通信スイッチ１２が押下されると、赤外線通信部１１は、変換文字情報を外部無線通信機器２に送信する。
【００１７】
マイク１３（第１音声入力部の一例）は、ユーザが発話する音声などを入力する。録音スイッチ１４は、マイク１３から入力される音声を録音する際に用いられるスイッチであり、ユーザが録音スイッチ１４を押下することにより、マイク１３からの音声が録音される。
【００１８】
シリアル通信部１５（第１通信部の一例）は、浴室用リモコン４との間でシリアル通信によりデータを送受信する。具体的には、シリアル通信部１５は、赤外線通信部１１により受信された文字情報や、後述の制御部３０により音声から変換された変換文字情報を浴室用リモコン４に送信したり、浴室用リモコン４から変換文字情報を受信したりする。
【００１９】
ディスプレイ１６（第１表示部の一例）は、後述の制御部３０の指示により文字情報や変換文字情報を表示出力するものであり、スピーカ１７（第１音声出力部の一例）は、後述の制御部３０の指示により文字情報や変換文字情報から変換した音声を音声出力するものである。
【００２０】
伝言スイッチ１８は、ディスプレイ１６による表示出力やスピーカ１７による音声出力の際に用いられるスイッチであり、ユーザにより伝言スイッチ１８が押下されると、ディスプレイ１６による表示出力やスピーカ１７による音声出力が行われる。
【００２１】
記憶部２０は、台所用リモコン３で行われる各種処理に使用される情報を記憶するものあり、例えば、ＨＤＤ（Hard Disk Drive）、ＳＳＤ（Solid State Drive）、メモリカード、光ディスク、又はＲＡＭ（Random Access Memory）などの磁気的、電気的、又は光学的に記憶可能な既存の記憶媒体により実現できる。そして記憶部２０は、赤外線通信部１１により受信された文字情報を記憶する文字情報記憶部２２と、変換文字情報記憶部２４とを含む。なお、変換文字情報記憶部２４の詳細については後述する。
【００２２】
制御部３０（第１制御部の一例）は、台所用リモコン３の各部を制御するものであり、例えば、ＣＰＵ（Central Processing Unit）などにより実現できる。そして、制御部３０は、文字変換部３２と、表示制御部３４と、音声変換部３６と、音声出力制御部３８とを含む。
【００２３】
文字変換部３２は、マイク１３により入力された音声を文字情報に変換する。具体的には、文字変換部３２は、マイク１３により入力された音声を認識し、認識した音声を文字情報に変換して、変換文字情報を生成する。なお、音声認識には、既存の音声認識方法を用いることができる。
【００２４】
変換文字情報記憶部２４は、文字変換部３２により変換された変換文字情報や、シリアル通信部１５により受信された変換文字情報を記憶する。
【００２５】
表示制御部３４は、赤外線通信部１１により受信された文字情報などをディスプレイ１６に表示させる。具体的には、表示制御部３４は、文字情報記憶部２２に記憶された文字情報や変換文字情報記憶部２４に記憶された変換文字情報をディスプレイ１６に表示させる。
【００２６】
音声変換部３６は、赤外線通信部１１により受信された文字情報などを音声に変換する。具体的には、音声変換部３６は、文字情報記憶部２２に記憶された文字情報や変換文字情報記憶部２４に記憶された変換文字情報を音声合成処理により音声に変換する。音声出力制御部３８は、音声変換部３６により変換された音声をスピーカ１７に音声出力させる。
【００２７】
浴室用リモコン４は、浴室に設置されたリモコンであり、給湯器５の給湯機能を制御するとともに、台所用リモコン３との間でデータを送受信する。そして、浴室用リモコン４は、マイク４１と、録音スイッチ４２と、シリアル通信部４３と、ディスプレイ４４と、スピーカ４５と、伝言スイッチ４６と、記憶部５０と、制御部６０とを備える。
【００２８】
マイク４１（第２音声入力部の一例）は、ユーザが発話する音声などを入力する。録音スイッチ４２は、マイク４１から入力される音声を録音する際に用いられるスイッチであり、ユーザが録音スイッチ４２を押下することにより、マイク４１からの音声が録音される。
【００２９】
シリアル通信部４３（第２通信部の一例）は、台所用リモコン３との間でシリアル通信によりデータを送受信する。具体的には、シリアル通信部１５は、台所用リモコン３から文字情報や変換文字情報を受信したり、後述の制御部６０により音声から変換された変換文字情報を台所用リモコン３に送信したりする。
【００３０】
ディスプレイ４４（第２表示部の一例）は、後述の制御部６０の指示により文字情報や変換文字情報を表示出力するものであり、スピーカ４５（第２音声出力部の一例）は、後述の制御部６０の指示により文字情報や変換文字情報から変換した音声を音声出力するものである。
【００３１】
伝言スイッチ４６は、ディスプレイ４４による表示出力やスピーカ４５による音声出力の際に用いられるスイッチであり、ユーザにより伝言スイッチ４６が押下されると、ディスプレイ４４による表示出力やスピーカ４５による音声出力が行われる。
【００３２】
記憶部５０は、浴室用リモコン４で行われる各種処理に使用される情報を記憶するものあり、例えば、ＨＤＤ（Hard Disk Drive）、ＳＳＤ（Solid State Drive）、メモリカード、光ディスク、又はＲＡＭ（Random Access Memory）などの磁気的、電気的、又は光学的に記憶可能な既存の記憶媒体により実現できる。そして記憶部５０は、シリアル通信部４３により受信された文字情報を記憶する文字情報記憶部５２と、変換文字情報記憶部５４とを含む。なお、変換文字情報記憶部５４の詳細については後述する。
【００３３】
制御部６０（第２制御部の一例）は、浴室用リモコン４の各部を制御するものであり、例えば、ＣＰＵ（Central Processing Unit）などにより実現できる。そして、制御部６０は、文字変換部６２と、表示制御部６４と、音声変換部６６と、音声出力制御部６８とを含む。
【００３４】
文字変換部６２は、マイク４１により入力された音声を文字情報に変換する。具体的には、文字変換部６２は、マイク４１により入力された音声を認識し、認識した音声を文字情報に変換して、変換文字情報を生成する。なお、音声認識には、既存の音声認識方法を用いることができる。
【００３５】
変換文字情報記憶部５４は、文字変換部６２により変換された変換文字情報や、シリアル通信部４３により受信された変換文字情報を記憶する。
【００３６】
表示制御部６４は、シリアル通信部４３により受信された文字情報などをディスプレイ４４に表示させる。具体的には、表示制御部６４は、文字情報記憶部５２に記憶された文字情報や変換文字情報記憶部５４に記憶された変換文字情報をディスプレイ４４に表示させる。
【００３７】
音声変換部６６は、シリアル通信部４３により受信された文字情報などを音声に変換する。具体的には、音声変換部６６は、文字情報記憶部５２に記憶された文字情報や変換文字情報記憶部５４に記憶された変換文字情報を音声合成処理により音声に変換する。音声出力制御部６８は、音声変換部６６により変換された音声をスピーカ４５に音声出力させる。
【００３８】
給湯器５は、水を湯に沸き上げ、浴槽などの所望の給湯先に給湯する。
【００３９】
次に、本実施の形態のリモートコントローラシステムの動作について説明する。
【００４０】
図２は、本実施の形態のリモコンシステム１で実行される文字情報の送受信の手順の流れの一例を示すフローチャート図である。
【００４１】
まず、外部無線通信機器２は、ユーザから文字の入力を受け付け（ステップＳ１１）、入力された文字を文字情報に変換し（ステップＳ１２）、変換された文字情報を赤外線通信で台所用リモコン３に送信する（ステップＳ１３）。
【００４２】
続いて、台所用リモコン３の赤外線通信部１１は、外部無線通信機器２から文字情報を赤外線通信で受信し、台所用リモコン３の制御部３０は、受信した文字情報を文字情報記憶部２２へ記憶させる（ステップＳ１４）。
【００４３】
続いて、台所用リモコン３のシリアル通信部１５は、赤外線通信部１１により受信された文字情報をシリアル通信で浴室用リモコン４に送信する（ステップＳ１５）。
【００４４】
続いて、浴室用リモコン４のシリアル通信部４３は、台所用リモコン３から文字情報をシリアル通信で受信し、浴室用リモコン４の制御部６０は、受信した文字情報を文字情報記憶部５２へ記憶させる（ステップＳ１６）。
【００４５】
図３は、本実施の形態の台所用リモコン３及び浴室用リモコン４で実行される文字情報出力の手順の流れの一例を示すフローチャート図である。ここでは、台所用リモコン３による文字情報出力を例にとり説明するが、浴室用リモコン４による文字情報出力も同様の手法で実現できる。
【００４６】
まず、ユーザにより台所用リモコン３の伝言スイッチ１８が押下されると、伝言スイッチ１８は、台所用リモコン３の制御部３０に文字情報の出力を指示する出力指示信号を送信する（ステップＳ２１）。
【００４７】
続いて、制御部３０は、伝言スイッチ１８から出力指示信号を受信すると、台所用リモコン３の文字情報記憶部２２に記憶された文字情報を読み出す（ステップＳ２２）。
【００４８】
続いて、台所用リモコン３の表示制御部３４は、制御部３０により読み出された文字情報を台所用リモコン３のディスプレイ１６に表示させる（ステップＳ２３）。
【００４９】
続いて、制御部３０は、台所用リモコン３の記憶部２０に記憶されている音声出力の出力設定を確認する（ステップＳ２４）。なお、音声出力の出力設定は、台所用リモコン３の図示せぬ操作スイッチ等をユーザが操作することにより、予め設定されているものとする。
【００５０】
続いて、音声出力の出力設定が「出力する」である場合には（ステップＳ２４でＹｅｓ）、台所用リモコン３の音声変換部３６は、制御部３０により読み出された文字情報を音声に変換する（ステップＳ２５）。
【００５１】
続いて、台所用リモコン３の音声出力制御部３８は、音声変換部３６により変換された音声をスピーカ１７に音声出力させる（ステップＳ２６）。
【００５２】
なお、音声出力の出力設定が「出力しない」である場合には（ステップＳ２４でＮｏ）、ステップＳ２５、Ｓ２６の処理は行われない。
【００５３】
図４は、本実施の形態の台所用リモコン３から入力される伝言の記録手順の流れの一例を示すフローチャート図である。
【００５４】
まず、ユーザにより台所用リモコン３の録音スイッチ１４が押下されると、録音スイッチ１４は、台所用リモコン３の制御部３０に、台所用リモコン３のマイク１３から入力される音声の録音を指示する録音指示信号を送信する（ステップＳ３１）。
【００５５】
続いて、マイク１３から音声が入力されると（ステップＳ３２）、制御部３０は、録音スイッチ１４から録音指示信号を受信している間、マイク１３から入力される音声を記憶部２０に記憶（録音）させる（ステップＳ３３）。
【００５６】
続いて、文字変換部３２は、マイク１３から入力された音声を変換文字情報に変換し（ステップＳ３４）、変換文字情報を変換文字情報記憶部２４に記憶させる（ステップＳ３５）。
【００５７】
続いて、台所用リモコン３のシリアル通信部１５は、文字変換部３２により変換された変換文字情報をシリアル通信で浴室用リモコン４に送信する（ステップＳ３６）。
【００５８】
続いて、浴室用リモコン４のシリアル通信部４３は、台所用リモコン３から変換文字情報をシリアル通信で受信し、浴室用リモコン４の制御部６０は、受信した変換文字情報を変換文字情報記憶部５４へ記憶させる（ステップＳ３７）。
【００５９】
図５は、本実施の形態の浴室用リモコン４から入力される伝言の記録手順の流れの一例を示すフローチャート図である。
【００６０】
まず、ユーザにより浴室用リモコン４の録音スイッチ４２が押下されると、録音スイッチ４２は、浴室用リモコン４の制御部６０に、浴室用リモコン４のマイク４１から入力される音声の録音を指示する録音指示信号を送信する（ステップＳ４１）。
【００６１】
続いて、マイク４１から音声が入力されると（ステップＳ４２）、制御部６０は、録音スイッチ４２から録音指示信号を受信している間、マイク４１から入力される音声を記憶部５０に記憶（録音）させる（ステップＳ４３）。
【００６２】
続いて、文字変換部６２は、マイク４１から入力された音声を変換文字情報に変換し（ステップＳ４４）、変換文字情報を変換文字情報記憶部５４に記憶させる（ステップＳ４５）。
【００６３】
続いて、浴室用リモコン４のシリアル通信部４３は、文字変換部６２により変換された変換文字情報をシリアル通信で台所用リモコン３に送信する（ステップＳ４６）。
【００６４】
続いて、台所用リモコン３のシリアル通信部１５は、浴室用リモコン４から変換文字情報をシリアル通信で受信し、台所用リモコン３の制御部３０は、受信した変換文字情報を変換文字情報記憶部２４へ記憶させる（ステップＳ４７）。
【００６５】
図６は、本実施の形態の台所用リモコン３及び浴室用リモコン４で実行される変換文字情報出力の手順の流れの一例を示すフローチャート図である。なお、台所用リモコン３の変換文字情報出力の手順は、変換文字情報記憶部２４から変換文字情報が読み出されて、出力される点を除き、図３で説明した台所用リモコン３による文字情報出力の手順と同様であるため、詳細な説明は省略する。また。浴室用リモコン４による変換文字情報出力の手順についても同様である。
【００６６】
図７は、本実施の形態の台所用リモコン３から外部無線通信機器２への変換文字情報の送信の手順の流れの一例を示すフローチャート図である。
【００６７】
まず、ユーザにより台所用リモコン３の通信スイッチ１２が押下されると、通信スイッチ１２は、台所用リモコン３の制御部３０に外部無線通信機器２への変換文字情報の送信を指示する送信指示信号を送信する（ステップＳ６１）。
【００６８】
続いて、制御部３０は、通信スイッチ１２から送信指示信号を受信すると、台所用リモコン３の変換文字情報記憶部２４に記憶された変換文字情報を読み出す（ステップＳ６２）。
【００６９】
続いて、台所用リモコン３の赤外線通信部１１は、制御部３０により読み出された変換文字情報を外部無線通信機器２に赤外線通信で送信する（ステップＳ６３）。
【００７０】
続いて、外部無線通信機器２は、台所用リモコン３から変換文字情報を赤外線通信で受信し、受信した変換文字情報を図示せぬディスプレイに表示する（ステップＳ６４）。
【００７１】
以上のように、本実施の形態によれば、外部無線通信機器２から文字情報として伝言等を入力できるとともに、入力された伝言等を台所用リモコン３及び浴室用リモコン４で文字情報として表示できるので、誤った文字による情報の伝達は生じず、正しく情報を伝達することができる。また、方言などの特殊な言葉による伝言にも対応でき、聴覚障害者に対しても正しく情報を伝達することができる。
【００７２】
また、本実施の形態によれば、文字情報の表示に加え、音声による出力も可能であるため、聴覚障害者に対しても正しく情報を伝達することができる。
【００７３】
また、本実施の形態によれば、台所用リモコン３及び浴室用リモコン４から入力された情報を外部無線通信機器２で表示させることもできるので、台所用リモコン３及び浴室用リモコン４から外部無線通信機器２に情報を伝達することもできる。
【産業上の利用可能性】
【００７４】
以上のように、本発明にかかるリモートコントローラシステムは、家庭用または業務用として用いられる給湯器用のリモートコントローラシステムに適している。
【符号の説明】
【００７５】
１  リモートコントローラシステム（リモコンシステム）
２  外部無線通信機器
３  台所用リモートコントローラ（台所用リモコン）
４  浴室用リモートコントローラ（浴室用リモコン）
５  給湯器
１１  赤外線通信部
１２  通信スイッチ
１３  マイク
１４  録音スイッチ
１５  シリアル通信部
１６  ディスプレイ
１７  スピーカ
１８  伝言スイッチ
２０  記憶部
２２  文字情報記憶部
２４  変換文字情報記憶部
３０  制御部
３２  文字変換部
３４  表示制御部
３６  音声変換部
３８  音声出力制御部
４１  マイク
４２  録音スイッチ
４３  シリアル通信部
４４  ディスプレイ
４５  スピーカ
４６  伝言スイッチ
５０  記憶部
５２  文字情報記憶部
５４  変換文字情報記憶部
６０  制御部
６２  文字変換部
６４  表示制御部
６６  音声変換部
６８  音声出力制御部
【図１】
2010261635.tif 000003
【図２】
2010261635.tif 000004
【図３】
2010261635.tif 000005
【図４】
2010261635.tif 000006
【図５】
2010261635.tif 000007
【図６】
2010261635.tif 000008
【図７】
2010261635.tif 000009